(57)【要約】      （修正有）【課題】高められた動作信頼性と、ハンマーの同時作動の観点における高い精度と、ハート形カムに加えられる明確に定義された力とが備わった、独立したハンマーを搭載したゼロリセット装置を製造する。【解決手段】ロック手段７がゼロリセットハンマーをその静止位置で保持する第一の静止位置から、ロック手段７が、対応するハンマーばねの作用下のいずれの場合でも、対応するゼロリセットカムと協働する位置になるゼロリセットハンマーを解放する第二の解放位置へと、ロック手段７が移るように、この屈曲および解放手段６は、第一の制御手段１の作動の第一段階中にハンマーばねを屈曲可能であり、また第一の制御手段１の作動の第二段階中にロック手段７と協働可能とする。【選択図】図１ａ
2015118082.tif 000002
【特許請求の範囲】
【請求項１】
時計用、特にクロノグラフウォッチ用のゼロリセット装置であって、第一の制御手段（１）と、前記第一の制御手段（１）と運動学的に接続する第二の制御手段（２）と、少なくとも２つのゼロリセットカム（３．１、３．２、３．３）と、互いに独立して軸支され、対応するゼロリセットカム（３．１、３．２、３．３）と協働するために作動されるように構成された、少なくとも２つの対応するゼロリセットハンマー（４．１、４．２、４．３）と、を備えているゼロリセット装置において、
前記装置が、それぞれがプリテンションをもたらすように構成され、前記対応するゼロリセットカム（３．１、３．２、３．３）の方向にゼロリセットハンマー（４．１、４．２、４．３）を回動させる、少なくとも２つのハンマーばね（５．１、５．２、５．３）を備えていること、および
前記装置が、屈曲および解放手段（６）と、ロック手段（７）とを備え、前記ロック手段（７）が前記ゼロリセットハンマー（４．１、４．２、４．３）をその静止位置で保持する第一の静止位置から、前記ロック手段（７）が、前記対応するハンマーばね（５．１、５．２、５．３）の作用下のいずれの場合でも、前記対応するゼロリセットカム（３．１、３．２、３．３）と協働する位置になる前記ゼロリセットハンマー（４．１、４．２、４．３）を解放する第二の解放位置へと、前記ロック手段（７）が移るように、前記屈曲および解放手段（６）は、前記第一の制御手段（１）の作動の第一段階中に前記ハンマーばね（５．１、５．２、５．３）を屈曲させ、また前記第一の制御手段（１）の作動の第二段階中に前記ロック手段（７）と協働するように構成されていること、を特徴とするゼロリセット装置。
【請求項２】
前記第一の制御手段（１）の作動の前記第一段階中に前記ハンマーばね（５．１、５．２、５．３）を屈曲させることができるように、前記屈曲および解放手段（６）は、前記第二の制御手段（２）に運動学的に接続され、対応するハンマーばね（５．１、５．２、５．３）に対してそれぞれが重みをかけるように構成された、少なくとも２つの屈曲要素（６．１、６．２、６．３）を備えるバーによって形成されていることを特徴とする、請求項１に記載の装置。
【請求項３】
前記屈曲要素は、ピン（６．１、６．２、６．３）によって形成されることを特徴とする、請求項２に記載の装置。
【請求項４】
前記第一の制御手段（１）の作動の前記第二段階中に、前記ロック手段（７）がその前記静止位置において前記ゼロリセットハンマー（４．１、４．２、４．３）を保持するその前記第一の静止位置から、前記ロック手段（７）が前記ゼロリセットハンマー（４．１、４．２、４．３）を解放するその前記第二の解放位置へと、前記ロック手段が移るように、前記屈曲および解放手段（６）は、前記ロック手段（７）と協働するように構成された解放部（６．４）を備えることを特徴とする、請求項１から３のいずれか一項に記載の装置。
【請求項５】
前記解放部（６．４）は、前記ロック手段（７）と接触することができる斜面または丸み付き縁部によって形成されることを特徴とする、請求項４に記載の装置。
【請求項６】
前記屈曲および解放手段（６）は、前記第一の制御手段（１）の作動の後に、前記屈曲および解放手段（６）において長手方向グルーブ（６．５）に嵌合するガイドシャフト（６．６）を中心にして、大きな半径で回転変位可能であり、前記屈曲および解放手段（６）と前記第二の制御手段（２）との間の前記運動学的な接続は、ピボットピン（６．７）によって形成されていることを特徴とする、請求項２から５のいずれか一項に記載の装置。
【請求項７】
前記ロック手段（７）は、回動可能に取り付けられ、前記ゼロリセットハンマー（４．１、４．２、４．３）の一つに対してプリテンションが与えられたロックレバーによって形成され、前記ゼロリセットハンマーは、前記ロックレバー（７）のロック部（７．２）が係合可能または離脱可能なノッチ（４．１．４）を備えることを特徴とする、請求項１から６のいずれか一項に記載の装置。
【請求項８】
前記ロック部（７．２）は、ピンによって、または、前記ゼロリセットハンマー（４．１、４．２、４．３）の一つにおける前記ノッチ（４．１．４）と係合するように構成された形状の部品によって、形成されることを特徴とする、請求項７に記載の装置。
【請求項９】
前記装置は、その作動の後に、前記ゼロリセットハンマー（４．１、４．２、４．３）をその前記静止位置に戻すように構成された、前記ゼロリセットハンマー（４．１、４．２、４．３）のリターン手段（８）を備えることを特徴とする、請求項１から８のいずれか一項に記載の装置。
【請求項１０】
前記ゼロリセットハンマーの前記リターン手段（８）は、前記ゼロリセットハンマー（４．１、４．２、４．３）の少なくとも一つに配置された補助アーム（４．１．２、４．２．２、４．３．２）によって形成されることを特徴とする、請求項９に記載の装置。
【請求項１１】
前記ゼロリセットハンマーの前記リターン手段（８）は、前記ゼロリセットハンマー（４．１、４．２、４．３）のそれぞれと運動学的に接続されたリターンバーによって形成され、前記接続は、前記ロック手段（７）と協働する前記ゼロリセットハンマー（４．１）との遊びがなく、かつ他のゼロリセットハンマー（４．２、４．３）との遊びはある状態で形成されることを特徴とする、請求項９に記載の装置。
【請求項１２】
前記ゼロリセットハンマー（４．１、４．２、４．３）は、全てが同じ形状をしていることを特徴とする、請求項１から１１のいずれか一項に記載の装置。
【請求項１３】
前記第一の制御手段（１）は並進移動可能であり、前記第二の制御手段（２）は回転移動可能であることを特徴とする、請求項１から１２のいずれか一項に記載の装置。
【請求項１４】
前記第一の制御手段（１）がプッシュボタンであることを特徴とする、請求項１から１３のいずれか一項に記載の装置。
【請求項１５】
時計、好ましくは機械式腕時計であって、請求項１から１４のいずれか一項に記載のゼロリセット装置を搭載するクロノグラフ機構またはフライバック針機構を備えることを特徴とする時計。
【発明の詳細な説明】
【技術分野】
【０００１】
本発明は、時計用、特にクロノグラフウォッチ用のゼロリセット装置に関するものであり、この装置は、第一の制御手段と、この第一の制御手段と運動学的に接続する第二の制御手段と、少なくとも２つのゼロリセットカムと、互いに独立して軸支され、対応するゼロリセットカムと協働するために作動され得る、少なくとも２つの対応するゼロリセットハンマーと、を備えている。
【０００２】
本発明は、更に具体的には、機械式ムーブメントを有し、クロノグラフ機構またはフライバック針を搭載した時計、特に腕時計、に関する。このような状況において、場合によってはフライバック針として配置される秒針、分針、および時針のそれぞれが、ゼロリセットの場合には、針をその静止位置に戻すために、または、フライバック針機構の場合には、針を基準針によって規定される位置に戻すために、対応するハンマーと協働し得るハート形カムを搭載したシャフトに取り付けられるのは、一般的なことである。従来の機構では、ハンマーは大抵、一体型部品の上に配置される。これは、そのような部品によってもたらされる力の増加、個別のハートを打つ瞬間に必要な同期、結果として生じる製造精度、そのような部品の体積、および更なる欠点が原因で、問題を引き起こすことがある。
【背景技術】
【０００３】
したがって、このような状況において、独立したハンマーの配置を使用することが既に提案されている。例えば、特許文献１は、互いに独立して軸支され、接続要素によって接続された秒ハンマーおよび分ハンマーを有するクロノグラフ機構を提案している。しかしながら、もし提案された配置が、ハンマーで独立して働くばねを有する場合には、とりわけこの接続要素が原因で、分カウンターホイールと同心円状に角度をなして軸支された分カウンタージャンパーだけでなく、ハンマーを同軸上で回動させることが必要となり、この装置の用途を大幅に制限する。別のデザインが特許文献２により提案されている。対応する装置は、対応するハートと協働するために制御要素によって作動され得る複数のハンマーを備える。制御要素の並進移動が、ハンマーに対するその運動学的接続により、ハンマーと対応するハートとの間の協働を直接もたらすように、ハンマーはそれぞれの独立したピボットを中心に回動し、制御要素に連接される。しかしながら、そのような直接的な運動学的接続は、最適なものではない。更に、これは、この機構が、ハートに対してハンマーを当てる傾向のあるばねを有さないこと暗示しており、精密度の潜在的な欠如は、ハンマーのアームに弾性を持たせることによって、補正されなければならない。したがって、現在知られている先行技術の解決策が、全面的に満足できるものであるというわけではなく、および／または、クロノグラフ機構の全ての種類で使用可能なわけでもないことに留意すべきである。
【先行技術文献】
【特許文献】
【０００４】
【特許文献１】欧州特許出願公開第２２４１９４５号明細書
【特許文献２】欧州特許出願公開第１８９０２０５号明細書
【発明の概要】
【発明が解決しようとする課題】
【０００５】
したがって、本発明の一つの目的は、既知の装置の欠点を少なくとも部分的に克服し、高められた動作信頼性と、ハンマーの同時作動の観点における高い精度と、ハート形カムに加えられる明確に定義された力とが備わった、独立したハンマーを搭載したゼロリセット装置を製造することである。本発明の更なる目的は、できるだけコンパクトであり、また単純で使用中に信頼できる強固な構造を用いて、この装置を製造することである。この装置は、フライバック針機構などの、その他の類似のあらゆる用途の場合と同様に、クロノグラフ機構自体においても実施のために適合されるべきである。
【課題を解決するための手段】
【０００６】
この目的を達成するために、本発明は、請求項１において特定される特徴によって区別される、上述した種類のゼロリセット装置を提案する。特に、本発明による装置は、それぞれがプリテンションをもたらすことができ、対応するゼロリセットカムの方向にゼロリセットハンマーを回動させる、少なくとも２つのハンマーばねと、屈曲および解放手段と、ロック手段とを備える。ロック手段がゼロリセットハンマーをその静止位置で保持する第一の静止位置から、ロック手段が、対応するハンマーばねの作用下のいずれの場合でも、対応するゼロリセットカムと協働する位置になるゼロリセットハンマーを解放する第二の解放位置へと、ロック手段が移るように、この屈曲および解放手段は、第一の制御手段の作動の第一段階中にハンマーばねを屈曲可能であり、また第一の制御手段の作動の第二段階中にロック手段と協働可能である。
【０００７】
これらの方策の結果、時計の使用者によって第一の制御手段に手動で加えられた力が所定の閾値を超えた場合にのみ、ゼロリセットが行われる。更に、ハンマーによってカムに加えられる力は、常に同一であり、所定の値と等しい。これは、それらの間に直接的な運動学的接続のないハンマーの最大限の独立性を確実にしている間であって、少なくともそれらをカムに対して当てている間以外に、達成される。
【０００８】
これらの利点は、従属する請求項から明らかなように、屈曲および解放手段と、ロック手段とを有利に配置することによっても、向上され得る。同様に、装置は、その作動の後にゼロリセットハンマーをそのリセット位置に戻すことができる、ゼロリセットハンマーのリターン手段を備え、このリターン手段は、最適な形でハンマー間の独立性を維持するように配置され得る。更に、本発明による装置のゼロリセットハンマーは、有利には、全てが同じ形状をしていてもよい。これらの要因の全てが、そのような装置の特に単純で信頼性のある実施形態に寄与している。
【０００９】
更なる特徴および対応する利点が、従属する請求項および本発明を提示する説明から、以下で詳細に明らかになるであろう。
【００１０】
添付の図面は、本発明の多数の実施形態を、例として、概略的に示す。
【図面の簡単な説明】
【００１１】
【図１ａ】本発明によるゼロリセット装置の第一の実施形態の概略的な斜視図である。
【図１ｂ】図１ａに示された装置の平面図である。
【図１ｃ】図１ｂに示された線Ｉ−Ｉに沿ったこの装置の縦断面図である。
【図２ａ】第一の制御手段の作動の第一段階の開始直後のその位置における、図１ａから１ｃに係るゼロリセット装置の平面図である。
【図２ｂ】該作動の第一段階中に、屈曲および解放手段がロック手段と接触した瞬間の、その位置における装置の平面図である。
【図２ｃ】該作動の第一段階の終わりに、屈曲および解放手段がゼロリセットハンマーを解放させる瞬間の直前の、その位置における装置の平面図である。
【図２ｄ】該作動の第二段階中に、ゼロリセットハンマーが対応するゼロリセットカムを打った時の、その位置における装置の平面図である。
【図２ｅ】ゼロリセットハンマーおよびロック手段がその静止位置に戻るように、第一の制御手段が使用者によって解放された時の、その位置における装置の平面図である。
【図３ａ】本発明によるゼロリセット装置の第二の実施形態の概略的な斜視図である。
【図３ｂ】図３ａに示された装置の平面図である。
【図３ｃ】図３ｂに示された線ＩＩ−ＩＩに沿ったこの装置の縦断面図である。
【図４ａ】第一の制御手段の作動の第一段階の開始直後の、その位置における、図３ａから３ｃに係るゼロリセット装置の平面図である。
【図４ｂ】該作動の第一段階中に、屈曲および解放手段がロック手段と接触した瞬間の、その位置における装置の平面図である。
【図４ｃ】該作動の第一段階の終わりに、屈曲および解放手段がゼロリセットハンマーを解放させる瞬間の直前の、その位置における装置の平面図である。
【図４ｄ】該作動の第二段階中に、ゼロリセットハンマーが対応するゼロリセットカムを打った時の、その位置における装置の平面図である。
【図４ｅ】ゼロリセットハンマーおよびロック手段がその静止位置に戻るように、第一の制御手段が使用者によって解放された時の、その位置における装置の平面図である。
【発明を実施するための形態】
【００１２】
次に、例として本発明の実施形態を示す添付の図面を参照して、本発明を詳細に説明する。
【００１３】
本発明は、時計、好ましくは機械式ムーブメントを有する腕時計、に組み込まれることを意図したゼロリセット装置に関する。使用される言語の簡素化のために、以下では、対応する説明の範囲を制限することなく、「時計」と「ウォッチ」は同意語として言及され、いずれの場合においても、機械的または電気的エネルギー源のいずれかを有するどのような種類の時計にも適用される。更に、そのような時計は通常、本発明によるゼロリセット装置を搭載することが意図されたクロノグラフ機構またはフライバック針機構を備える。クロノグラフやフライバック針機構、および本発明による装置との組み合わせに適しているさらに他の類似の機構が当業者に知られていることを踏まえると、下記の説明は、この装置の構造や機能に限定される。
【００１４】
まず、本発明によるゼロリセット装置の構造および部品について解説するために、概略的な斜視図と、平面図と、図１ｂに示される線Ｉ−Ｉに沿ったこの装置の縦断面図とをそれぞれ用いて、例として、そのような装置の第一の実施形態を概略的に示す、図１ａから１ｃを参照する。装置が、先行技術の装置と同様に、第一の制御手段１と、第一の制御手段１と運動学的に接続する第二の制御手段２と、少なくとも２つのゼロリセットカム３．１、３．２、３．３と、少なくとも２つの対応するゼロリセットハンマー４．１、４．２、４．３と、を備えていることがわかる。ハンマー４．１、４．２、４．３は、通常は互いに対して非同心円状に位置するピボット軸４．１．１、４．２．１、４．３．１を中心に互いに独立して軸支され、対応するゼロリセットカム３．１、３．２、３．３と協働するために作動され得る。そのためには、その自由端が、ハンマー自体を形成し、対応するゼロリセットカム３．１、３．２、３．３に対して押し付けられることが可能である表面、好ましくは平面、を備えるアーム４．１．３、４．２．３、４．３．３を、ハンマーのそれぞれが有する。ハンマー−ハートアセンブリーの改良された性能を得るために、これらのカム３．１、３．２、３．３は、たいていハート型、好ましくは非対称のハートの形をしており、多くの場合に針またはディスクである対応する表示要素の回転軸に取り付けられるか、または、この要素の回転軸に直接的もしくは間接的に運動学的に接続された車軸に取り付けられる。例えば、表示要素は、図面に示される３つのハンマー４．１、４．２、４．３または３つのハート３．１，３．２、３．３が、ハンマーまたは時間、分、および秒のハートに対応するように、クロノグラフ機構または対応するフライバック針機構の秒針、分針および時針であってもよい。第一の制御手段１は並進移動可能であり、第二の制御手段２はピボット２．１を中心にして回転移動可能であり、図１ａおよび１ｂに示されるように、制御リターンばね（図示せず）は、第二の制御手段２の端部２．２をハンマーの一つ、好ましくは第一のハンマー４．１、に当てるのに使用される。通常、第一の制御手段１は、第一の制御手段１と第二の制御手段２との間の運動学的接続によって、この第二の制御手段２を回動させるために、時計の使用者が手動で力を加えることができるプッシュボタンにより、実現される。例えば図１ｂや３ｂで見ることができる屈曲止め６．８は、使用者によって第一の制御手段１に手動で力が加えられた後に、第二の制御手段２の進路を、ハンマー４．１、４．２、４．３から遠ざかる方向に制限する。したがって、第一の制御手段１は、第二の制御手段２を用いて、例えばクロノグラフ機構またはフライバック針機構の針のゼロリセットといった、対応する機能を制御することを可能にする。
【００１５】
先行技術の装置とは異なり、この装置は、ゼロリセットハンマー４．１、４．２、４．３の一つを、対応するゼロリセットカム３．１、３．２、３．３の方向に回動させるプリテンションをそれぞれがもたらすことができる、少なくとも２つのハンマーばね５．１、５．２、５．３と、屈曲および解放手段６と、ロック手段７と、を備える。下記の説明によってより明らかになるように、図１ａから１ｃに示された装置の第一の実施形態においては、屈曲および解放手段６によって屈曲力を受けることができるように、ハンマーばねは、その一端が対応するハンマーに堅く取り付けられ、その他端が固定されていない板ばねによって、形成されている。明らかに分かるように、ばねは、屈曲および解放手段６に取り付けられることができ、ばねの自由端はハンマー４．１、４．２、４．３と協働することができるが、このデザインは図示されていない。
【００１６】
実際に、この屈曲および解放手段６は、第一の制御手段１の作動の第一段階中に、ハンマーばね５．１、５．２、５．３を屈曲させることができ、また、ロック手段７がその静止位置においてゼロリセットハンマー４．１、４．２、４．３を保持する第一の静止位置から第二の解放位置へとロック手段７が移るように、第一の制御手段１の作動の第二段階中に、ロック手段７と協働することもできる。これより先の記載でより詳細に述べられるように、この第二の位置において、ロック手段７はゼロリセットハンマー４．１、４．２、４．３を自由にし、これらのハンマーはその後、いずれの場合も、対応するハンマーばね５．１、５．２、５．３の作用下で、対応するゼロリセットカム３．１、３．２、３．３と協働する位置になる。
【００１７】
図１ａおよび１ｂは、本発明による装置の第一の実施形態において、第一の制御手段１の作動の第一段階中にハンマーばね５．１、５．２、５．３を屈曲させることができるように、屈曲および解放手段６が第二の制御手段２に運動学的に接続され、少なくとも２つ、図面に示された例では３つの、対応するハンマーばね５．１、５．２、５．３の自由端に対してそれぞれが重みをかけることができる屈曲要素６．１、６．２、６．３を備える、バーによって形成されていることを、明確に示す。屈曲要素は、好ましくは、バー６に沿って適当な距離を置いて取り付けられた屈曲ピン６．１、６．２、６．３によって、形成され得る。
【００１８】
第一の制御手段１の作動の第二段階中に、ロック手段７がその静止位置においてゼロリセットハンマー４．１、４．２、４．３を保持するその第一の静止位置から、ロック手段７がゼロリセットハンマー４．１、４．２、４．３を解放するその第二の解放位置へとロック手段が移るように、屈曲および解放手段６は、ロック手段７と協働することができる解放部６．４も備える。この解放部は、好ましくは、ロック手段７に向けられたその端部の近くに配置され、ロック手段７と接触することができる、斜面または丸み付き縁部６．４によって、形成される。
【００１９】
通常、第一の制御手段１とその端部の一つおいて連接される第二の制御手段２と同様に、屈曲および解放手段６と第二の制御手段２との間の運動学的接続は、例えば、第二の制御手段２の他端２．２と連接されるピボットピン６．７によって、作り出すことができる。また、第二の制御手段２とは反対の端部に長手方向グルーブ６．５があり、このグルーブには、対応する時計のブリッジに取り付けられ、図３ｂにおいて例として見ることができるガイドシャフト６．６が嵌合しているので、屈曲および解放手段６は、第一の制御手段１の作動の後に、ガイドシャフト６．６を中心にして回転変位可能である。回転運動は、好ましくは、大きな半径を有する。
【００２０】
ロック手段７に関し、これは好ましくは、ピボット７．１を中心に回動可能に取り付けられ、リターンロックばねによって、ロック手段の静止位置を規定するロックストップ７．３に対して、ゼロリセットハンマー４．１、４．２、４．３の一つの方向にプレストレスが与えられた、ロックレバーによって、形成される。ロック手段には、好ましくは、第二の制御手段２の最も近くに配置された第一のゼロリセットハンマー４．１の方向に、プレストレスが与えられる。しかし、ロック手段には、他のハンマー４．２、４．３の一つの方向にプレストレスが与えられることもあり得る。ロックレバー７がプレストレスを与えられているハンマーは、よって、図面にも示される通り、大抵、第一のゼロリセットハンマー４．１であり、ロックレバー７のロック部７．２が係合可能または離脱可能なノッチ４．１．４を備える。更に、少なくともこのハンマーは、好ましくは、わずかに丸みがあってもよいガイド部４．１．５も備え、離脱に続くその動作中、そしてその後のノッチ４．１．４に向かうそのリターン動作中に、ロック部７．２の案内を可能にする。ロック部は、レバー７に取り付けられたロックピン７．２によって、または、ゼロリセットハンマー４．１、４．２、４．３の一つにおけるノッチ４．１．４と係合するのに適した形状の一体型部品によって、実現できる。
【００２１】
図１ａから１ｃからもわかるように、本発明によるゼロリセット装置は、ゼロリセットハンマー４．１、４．２、４．３のリターン手段８を備え、このリターン手段は、その作動の後に、ゼロリセットハンマー４．１、４．２、４．３をその静止位置に戻すことができる。図１ａから１ｃにおいて概略的に示された第一の実施形態において、リターン手段８は、ゼロリセットハンマー４．１、４．２、４．３のそれぞれと運動学的に接続されたリターンバーによって、形成される。各ハンマー４．１、４．２、４．３が、対応するハート３．１、３．２、３．３を確実に独立して打てるようにするため、ロック手段７と協働するゼロリセットハンマー４．１の一つ、したがって図面に示した実施形態においては第一のハンマー４．１、との遊びが事実上なく、かつ他のゼロリセットハンマー４．２、４．３との遊びはある状態で、リターンバー８とハンマーとの間の接続が作り出される。これは、第二のハンマー４．２および第三のハンマー４．３にそれぞれ取り付けられた第二のピボット８．２および第三のピボット８．３が、リターンバーの対応する開口部に遊びを持って嵌合する一方で、第一のピボット８．１を、第一のハンマー４．１とリターンバー８との間の遊びが事実上ない状態で設置することにより実施可能であり、図１ｂにおいて見られるように、これらの開口部のそれぞれの大きさは、ピボット８．２、８．３の直径よりも大きい。この遊びは、好ましくは、約０．１０ｍｍから０．３５ｍｍであり、開口部はまた、ハンマーが各ハートを押圧する時に、その縁部が第二のピボット８．２および第三のピボット８．３に接触しないように、配置されている。リターンストップ８．４は、使用者が第一の制御手段にもはや手動で力を加えなくなると、ハンマーの一つ、図示された例においては第三のハンマー４．３、がリターンストップ８．４を押圧するように設置されることによって、ゼロリセットハンマー４．１、４．２、４．３の、それぞれのリターンバー８の静止位置を規定する。実際には、この場合、第二の制御手段２の制御リターンばねが、第二の制御手段およびゼロリセットハンマー４．１、４．２、４．３を、リターン手段８によって、それぞれの静止位置に戻す。
【００２２】
本発明によるゼロリセット装置の構造および構成要素に関する上記の説明は、特に図２ａから２ｅを介して、この装置の機能を容易に理解することも可能にする。実際には、図１ｂに示された静止位置においては、ハンマーばね５．１、５．２、５．３は屈曲されておらず、ロック手段７はその静止位置にあって、ロックストップ７．３を押圧している。同様に、図示された例において、制御リターンばねは、第二の制御手段２の端部２．２を第一のハンマー４．１に対して押圧させる。第一のハンマー４．１は、リターンバー８がハンマー４．１、４．２、４．３をハートから遠ざかった位置で保持するように、第二のハンマー４．２および第三のハンマー４．３の方向にリターンバー８を押し、リターンストップ８．４が、対応するハート３．１、３．２、３．３からハンマー４．１、４．２、４．３が遠ざかるのを制限する。この静止位置において、第二のハンマー４．２および第三のハンマー４．３に取り付けられた第二のピボット８．２および第三のピボット８．３が、リターンバー８上のそれぞれの嵌合において固定されていない一方で、第一のハンマー４．１には遊びが無いので、第二のハンマー４．２および第三のハンマー４．３が有する回転時の小さな遊びもまた留意されるであろう。言い換えれば、静止位置において、全てのハンマー４．１、４．２、４．３がハート３．１、３．２、３．３から遠ざけられ、制御リターンばねによって、リターンバー８を用いて、この位置で保持されている。
【００２３】
図２ａは、対応する時計の使用者によって手動の力が加えられた後に続く、第一の制御手段１の作動の第一段階の開始直後の、その位置における、図１ａから１ｃによるゼロリセット装置の平面図を示し、よって、装置が静止位置を離れた直後のステップを示す。プッシュボタン１を押すことによって、使用者は、第二の制御手段２と、屈曲および解放手段６とを回動させる。この作動の段階において、この屈曲および解放手段６は、この屈曲および解放手段によって支えられている屈曲ピン６．１、６．２、６．３によって、ハンマーばね５．１、５．２、５．３を屈曲させるために使用される。図１ｂと２ａとを比較することにより、ばねの屈曲が開始する前、つまり各屈曲ピン６．１、６．２、６．３が対応するハンマーばね５．１、５．２、５．３の自由端に触れる前に、好ましくは約０．１０ｍｍから０．４０ｍｍの、少量の補われるべき遊びが最初にあることが注目される。この位置において、第二の制御手段２の自由端２．２と第一のハンマー４．１との間には、もはやいかなる接触もない。同様に、図２ａに図示された位置においては、ロックピン７．２が、第一のゼロリセットハンマー４．１とそのノッチ４．１．４においてのみ接触するようになっているのに対して、図１ｂに図示された静止位置ではこの接触はまだ確立していないことが、注目される。
【００２４】
図２ｂは、作動の第一段階中に、使用者によるプッシュボタン１に対する圧力が継続した場合に、屈曲および解放手段６がロック手段７と接触するようになる瞬間、したがって、屈曲および解放手段６がもはやハンマーばね５．１、５．２、５．３を屈曲させるだけのために使用されず、解放機能も行う瞬間の、その位置における装置の平面図である。実際に、この段階においては、ロック手段７に取り付けられたロックピン７．２によって回動が限定され続けている間に、第一のハンマー４．１は、そのばね５．１によって、次第にストレスを加えられ、今度はそのばね５．１が屈曲ピン６．１によって次第に屈曲される。第二のハンマー４．２および第三のハンマー４．３は、第一のハンマー４．１によってブロックされたリターンバー８がそれらを少し離れたところで保持するので、それぞれのハート３．２、３．３のいずれをも打つことができないことから、第二のハンマー４．２および第三のハンマー４．３のばね５．２、５．３は、同時に自身を屈曲させる。他方では、屈曲および解放手段６の解放部６．４、つまり斜面または丸み付き縁部６．４と、ロック手段７との間の接触が起こり、これが徐々にロック手段７の回動を生じさせる。よって、ロック手段に取り付けられたロックピン７．２は、ハンマー４．１のノッチ４．１．４に沿って、そこから離脱する前に、スライドする。
【００２５】
図２ｃは、作動の第一段階の終わりに、屈曲および解放手段６が、ロック手段７によって、屈曲および解放手段６が協働するゼロリセットハンマーを解放させる瞬間の直前の、その位置における装置の平面図である。特に、図２ｃは、ハンマーばね５．１、５．２、５．３の最大の屈曲に対応し、ハンマー４．１、４．２、４．３の解放の直前、つまりロック手段７に取り付けられたロックピン７．２が第一のハンマー４．１のノッチ４．１．４から離脱する瞬間の前、の位置を示す。解放の瞬間は、ロックピン７．２がもはや第一のハンマー４．１をとどめておくことができず、第一のハンマー４．１のガイド部４．１．５に沿ってスライドする瞬間に対応するので、第一のハンマー４．１のガイド部４．１．５にロックピン７．２を当てるロック手段７のリターンばねの作用によって引き起こされる、取るに足らない摩擦を除けば、もはやハンマー４．１の移動を阻止することはない。
【００２６】
図２ｄは、作動の第二段階中に、使用者によるプッシュボタン１に対する圧力が継続した場合に、ゼロリセットハンマー４．１、４．２、４．３が対応するゼロリセットカム３．１、３．２、３．３を打った時の、その位置における装置の平面図である。実際には、第一のハンマー４．１は、図２ｃに示される作動の段階の終わりに自由になるので、リターンバー８も、第一のハンマー４．１と接続していることから、移動することができる。リターンバーは、第二のハンマー４．２および第三のハンマー４．３をとどめていた唯一の部品であったため、これらの二つのハンマーもまた自由になる。したがって、解放の瞬間、ハンマー４．１、４．２、４．３は、図２ｃに示される位置で達成されるハンマーばね５．１、５．２、５．３の最大の屈曲力に対応する、明確に定義されたゼロリセット力で、ハート３．１、３．２、３．３を打つ。ハンマーばね５．１、５．２、５．３は、使用者の力によって屈曲されている。この段階で蓄積されたエネルギーは、ゼロリセットを行うのに十分である。それにもかかわらず、ばね５．１、５．２、５．３は、残留屈曲（ｒｅｓｉｄｕａｌ  ｗｉｎｄｉｎｇ）を維持する。つまり、ハンマー４．１、４．２、４．３がハート３．１、３．２、３．３を押圧した時、ばね５．１、５．２、５．３は部分的にまだ屈曲されている。実際に、図２ｄに示される位置において、ハートに当てられると、ハンマー４．１、４．２、４．３は、これらのハート３．１、３．２、３．３に、ハンマーばね５．１、５．２、５．３の残留屈曲力に対応する維持力を加える。そして、ハートに対する圧力を維持するために、ハンマー４．１、４．２、４．３が既にそのハート３．１、３．２、３．３を押圧しているにもかかわらず、ボタンを押し続けることにより、使用者は、ばね５．１、５．２、５．３を屈曲させ続ける。しかしながら、いかなる損傷をも避けるために、プッシュボタン１の進路と、第二の制御手段２の進路と、屈曲および解放手段６の進路と、そしてその結果としてハート３．１、３．２、３．３に対する圧力とは、使用者がプッシュボタン１を押し終えた時に自由端２．２が押圧する屈曲止め６．８よって、限定されている。図２ｄに示される位置に関して、リターンバー８のその対応する開口部における第二のピボット８．２および第三のピボット８．３の遊びを踏まえれば、ゼロリセットカム３．１、３．２、３．３に向かうゼロリセットハンマー４．１、４．２、４．３の動作および対応するハートに対するその押圧が独立して行われており、それらが、特に第二のハンマー４．２および第三のハンマー４．３のレベルで、コントロールバー８によって妨げられていないこと、が注目されるべきである。
【００２７】
図２ｅは、ゼロリセットハンマー４．１、４．２、４．３およびロック手段７がその静止位置に戻るように、第一の制御手段が使用者によって解放された時の、その位置における装置の平面図である。実際には、使用者がプッシュボタン１を解放すると、制御リターンばねが第二の制御手段２と、屈曲および解放手段６とを押して、図１ｂに示す静止位置にする。このリターン段階において、第二の制御手段２の自由端２．２は、第一のハンマー４．１に対して静止する。この瞬間を発端にして、３つのハンマー４．１、４．２、４．３は、第二の制御手段２によって、ハート３．１、３．２、３．３からそれぞれ遠ざけられる。屈曲および解放手段６とハンマー４．１、４．２、４．３がその静止位置に戻る間に、ハンマーばね５．１、５．２、５．３は解除される。同時に、ロックピン７．２は、ロックストップ７．３に対してロック手段７を押し付けるロックリターンばねの作用により、第一のハンマー４．１のノッチ４．１．４と係合するまで、第一のハンマー４．１のガイド部４．１．５を摺動する。その結果として、装置は再びその静止位置になり、再び利用できる状態になる。
【００２８】
本発明によるゼロリセット装置の第二の実施形態が、図３ａから３ｃにおいて、概略的にかつ例として、示される。もしこの装置の他の要素が、実質的な相違点をもたらすことなく異なる形状または位置であることを除いて、第一の実施形態による装置と同一であった場合、装置の第二の実施形態において、リターン手段８は、ゼロリセットハンマー４．１、４．２、４．３の少なくとも一つに配置された補助アーム４．１．２、４．２．２、４．３．２によって形成される。装置の運転段階中に、ゼロリセットハンマー４．１、４．２、４．３がカム３．１、３．２、３．３に向かって動くまたはそれらに対して当てられている間、ハンマー４．１、４．２、４．３間には、この場合、第一の実施形態で見られるような取るに足らない摩擦のレベルでさえ、直接的な運動学的接続はもはやないことから、これらの補助アーム４．１．２、４．２．２、４．３．２は、第一の実施形態で提供されたリターンバー８に取って代わり、ゼロリセットハンマー４．１、４．２、４．３間の独立性の更なる向上を確実にもたらす。
【００２９】
更に、図３ａから３ｃは、この第二の実施形態による装置には、有利には、同一の重量と慣性モーメントを有するように、全てが同じ形状のゼロリセットハンマー４．１、４．２、４．３が搭載されていてもよいことも強調する。製造公差を除いては、この図のハンマーが全て同じ動きをするはずであることから、これによって、ハンマーがそれぞれのハートを打つ動作の精度を更に向上させることができる。
【００３０】
図３ａから３ｃにおいて、装置の第二の実施形態のハンマーばね５．１、５．２，５．３が、好ましくは、二つの弾性アームを有する板ばねによって形成されており、その第一のアームが、装置の第一の実施形態の板バネの自由端と同様に、屈曲および解放手段６によって屈曲力を受ける働きをし、第二のアームが、バネが屈曲されると、対応するゼロリセットハンマー４．１、４．２、４．３に屈曲力を伝える働きをすることにも注意する。二つの弾性アームの間に配置されたこれらのハンマーばね５．１、５．２、５．３の基部は、好ましくは、対応するピボットピン４．１．１、４．２．１、４．３．１に対して同心円状に、ゼロリセットハンマー４．１、４．２、４．３に取り付けられる。
【００３１】
対応するハート３．１、３．２、３．３を打つ段階中に、３つのハンマー４．１、４．２、４．３間の距離を維持し、ゼロリセットハンマー４．１、４．２、４．３間の独立性の更なる向上を確実にもたらすのが、第一の実施形態で提供されたリターンバー８ではなく、ゼロリセットハンマー４．１、４．２、４．３の補助アーム４．１．２、４．２．２、４．３．２であることを除いては、第二の実施形態によるゼロリセット装置の機能は、第一の実施形態によるゼロリセット装置の機能を示す図２ａから２ｅを参照して説明されたものと、完全に同様である。図４ａから４ｅは、図２ａから２ｅに対応する。図４ａは、第一の制御手段１の作動の第一段階の開始直後の、その位置における装置の第二の実施形態の平面図を示す。図４ｂは、作動の第一段階中に、屈曲および解放手段６がロック手段７と接触するようになる瞬間の、その位置における装置の平面図を示す。図４ｃは、作動の第一段階の終わりに、ロック手段が自身が協働するゼロリセットハンマー４．１を自由にするように、屈曲および解放手段６が、ロック手段７を押すことによって、ゼロリセットハンマーを解放させる瞬間の直前の、その位置における装置の平面図を示す。図４ｄは、作動の第二段階中に、ゼロリセットハンマー４．１、４．２、４．３が、対応するゼロリセットカム３．１、３．２、３．３を打った時の、その位置における装置の平面図を示す。図４ｅは、再び装置が使用できる状態になるため、ゼロリセットハンマー４．１、４．２、４．３およびロック手段７がその静止位置に戻るように、第一の制御手段１が使用者によって解放された時の、その位置における装置の平面図を示す。
【００３２】
上述の装置の配置や機能を踏まえると、時計の使用者によって第一の制御手段１に加えられた手動の力が、通常はハンマーばね５．１、５．２、５．３および制御リターンばねの屈曲力の合計に対応する、所定の閾値を超える場合にのみ、ゼロリセットが行われることが理解される。更に、ハンマーによってカムに加えられるゼロリセット力は、常に同一であり、所定の値、つまり、ハンマーばね５．１、５．２、５．３の上述の最大屈曲力、と対応するので、これらの要因は、装置の機能の信頼性を確実に向上させることができる。これらの利点は、それらの間に直接的な運動学的接続のないハンマーの最大限の独立性を確実にしている間であって、少なくともそれらをカムに対して当てている間以外に得られ、これがハンマーの同時作動の精度を向上させる。この点において、第二の実施形態は、ハンマーを打つ段階中にハンマー間に生じ得るいかなる直接的な運動学的接続をももたらすことがないことから、特に有利である。更に、装置の第二の実施形態でも規定された、全てのハンマーが同一の形状をしている点は、これらの利点を改めて強化する。更に、構造は強固であり、またできるだけコンパクトかつ単純で使用中に信頼できるものである。本発明によるゼロリセット装置は、どのような種類の時計にも、好ましくは機械式腕時計、特にクロノグラフウォッチまたはフライバック針を有するウォッチ、にも組み込むことができる。しかしながら、装置を電子時計において使用することも可能である。
【符号の説明】
【００３３】
１  第一の制御手段
２  第二の制御手段
２．１  ピボット
２．２  端部
３．１、３．２、３．３  ゼロリセットカム
４．１、４．２、４．３  ゼロリセットハンマー
４．１．１、４．２．１、４．３．１  ピボット軸
４．１．２、４．２．２、４．３．２  補助アーム
４．１．３、４．２．３、４．３．３  アーム
４．１．４  ノッチ
４．１．５  ガイド部
５．１、５．２、５．３  ハンマーばね
６  屈曲および解放手段
６．１、６．２、６．３  屈曲ピン
６．４  解放部
６．５  長手方向グルーブ
６．６  ガイドシャフト
６．７  ピボットピン
６．８  屈曲止め
７  ロック手段
７．１  ピボット
７．２  ロックピン  
７．３  ロックストップ
８  リターン手段
８．１  第一のピボット
８．２  第二のピボット
８．３  第三のピボット
８．４  リターンストップ
【図１ａ】
2015118082.tif 000003
【図１ｂ】
2015118082.tif 000004
【図１ｃ】
2015118082.tif 000005
【図２ａ】
2015118082.tif 000006
【図２ｂ】
2015118082.tif 000007
【図２ｃ】
2015118082.tif 000008
【図２ｄ】
2015118082.tif 000009
【図２ｅ】
2015118082.tif 000010
【図３ａ】
2015118082.tif 000011
【図３ｂ】
2015118082.tif 000012
【図３ｃ】
2015118082.tif 000013
【図４ａ】
2015118082.tif 000014
【図４ｂ】
2015118082.tif 000015
【図４ｃ】
2015118082.tif 000016
【図４ｄ】
2015118082.tif 000017
【図４ｅ】
2015118082.tif 000018
【外国語明細書】
2015118082000001.pdf